(57)【特許請求の範囲】
【請求項１】
発電した電力を負荷に供給可能であるとともに電力系統に逆潮流可能な太陽電池と、電力系統から供給された電力を充電可能であるとともに充電された電力を放電して負荷に供給可能な蓄電池と、該蓄電池の充放電を制御するコントローラを備えた電力システムであって、
前記電力系統の電力料金が時間帯によって異なるとともに、該時間帯は、少なくとも所定の料金が定められた第１時間帯と、前記第１時間帯よりも高い料金が定められた第２時間帯と前記第２時間帯よりも高い料金が定められた第３時間帯を、前記第１時間帯、前記第２時間帯、前記第３時間帯、前記第２時間帯、前記第１時間帯の順に有し、
前記蓄電池は、前記第１時間帯で充電され、雨天予報日の場合は、前記第１時間帯に続く前記第２時間帯の中で予め定められた放電開始時刻で放電を開始するとともに、前記蓄電池の容量が前記第２時間帯に続く前記第１時間帯の開始時刻までに最低残量に達した場合には放電を終了し、前記第２時間帯に続く前記第１時間帯の開始時刻までに最低残量に達しない場合には前記第２時間帯に続く前記第１時間帯の開始時刻まで放電して放電を終了し、
前記コントローラは、前記雨天予報日の前記蓄電池の前記第２時間帯に続く前記第１時間帯の開始時における残量を参照して、次回雨天予報日の前記蓄電池の放電開始時刻を調整する電力システム。
【請求項２】
前記コントローラは、前記雨天予報日の天気結果を参照して次回雨天予報日の前記蓄電池の放電開始時刻を調整する請求項１記載の電力システム。
【請求項３】
前記コントローラは、前記雨天予報日の前記太陽電池の発電量を参照して次回雨天予報日の前記蓄電池の放電開始時刻を調整する請求項１記載の電力システム。
【請求項４】
発電した電力を負荷に供給可能であるとともに電力系統に逆潮流可能な太陽電池と、電力系統から供給された電力を充電可能であるとともに充電された電力を放電して負荷に供給可能な蓄電池有する電力システムの該蓄電池の充放電を制御するコントローラであって、
前記電力系統の電力料金が時間帯によって異なるとともに、前記時間帯は、少なくとも所定の料金が定められた第１時間帯と、前記第１時間帯よりも高い料金が定められた第２時間帯と前記第２時間帯よりも高い料金が定められた第３時間帯を、前記第１時間帯、前記第２時間帯、前記第３時間帯、前記第２時間帯、前記第１時間帯の順に有し、
前記第１時間帯で充電された前記蓄電池を、雨天予報日の場合は、前記第１時間帯に続く第２時間帯の中で予め定められた放電開始時刻で放電を開始させるとともに、前記蓄電池の容量が前記第２時間帯に続く前記第１時間帯の開始時刻までに最低残量に達した場合には放電を終了させ、前記第２時間帯に続く前記第１時間帯の開始時刻までに最低残量に達しない場合には前記第２時間帯に続く前記第１時間帯の開始時刻まで放電させて放電を終了させ、
前記雨天予報日の前記蓄電池の前記第２時間帯に続く前記第１時間帯の開始時における残量を参照して、次回雨天予報日の前記蓄電池の放電開始時刻を調整するよう制御を行うコントローラ。
【請求項５】
発電した電力を負荷に供給可能であるとともに電力系統に逆潮流可能な太陽電池と、電力系統から供給された電力を充電可能であるとともに充電された電力を放電して負荷に供給可能な蓄電池と、該蓄電池の充放電を制御するコントローラを備えた電力システムの制御方法であって、
前記電力系統の電力料金が時間帯によって異なるとともに、前記時間帯は、少なくとも所定の料金が定められた第１時間帯と、前記第１時間帯よりも高い料金が定められた第２時間帯と前記第２時間帯よりも高い料金が定められた第３時間帯を、前記第１時間帯、前記第２時間帯、前記第３時間帯、前記第２時間帯、前記第１時間帯の順に有し、
前記蓄電池は、前記第１時間帯で充電され、雨天予報日の場合は、前記第１時間帯に続く第２時間帯の中で予め定められた放電開始時刻で放電を開始するとともに、前記蓄電池の容量が前記第２時間帯に続く前記第１時間帯の開始時刻までに最低残量に達した場合には放電を終了し、前記第２時間帯に続く前記第１時間帯の開始時刻までに最低残量に達しない場合には前記第２時間帯に続く前記第１時間帯の開始時刻まで放電して放電を終了し、
前記コントローラは、前記雨天予報日の前記蓄電池の前記第２時間帯に続く前記第１時間帯の開始時における残量を参照して、次回雨天予報日の前記蓄電池の放電開始時刻を調整する電力システムの制御方法。
【発明の詳細な説明】
【技術分野】
【０００１】
本発明は、電力系統から供給される電力を充電した時間帯とは異なる時間帯に放電するように蓄電池を制御する電力システム、コントローラ及び電力システムの制御方法に関する。
【背景技術】
【０００２】
ある時間帯に電力系統から供給される電力を蓄電池に充電して、別の時間帯に蓄電池に充電された電力を放電する技術として、例えば特許文献１が知られている。
【０００３】
特許文献１には、太陽光発電中は商用交流電源からの電力消費を制限して売電を確保し、深夜電力料金で商用交流電源から買電して蓄電池に充電して太陽光発電中は蓄電池の電力を消費し深夜電力料金で直接消費も行い、次の深夜料金時間帯までの電力が不足するときは補助的に太陽光発電または商用交流電源から蓄電池に充電し、蓄電池の充電電力中、深夜電力料金充電分を外部の蓄電池との間で融通し、その際、太陽光発電または商用交流電源からの蓄電池充電と自家消費による放電を監視し、蓄電池中の深夜電力料金充電以外の電力分を把握し、交流分電盤に商用電源からの直接電力および蓄電池からのＤＣ／ＡＣ変換電力を供給することが記載されている。
【先行技術文献】
【特許文献】
【０００４】
【特許文献１】特開２０１１−９７７９５号公報
【発明の概要】
【発明が解決しようとする課題】
【０００５】
ところで、特許文献１にも記載があるように、昼間と深夜とで料金を異ならせるなどの料金制度が導入されているが、最近では電力料金体系が更に多様化している。このように多様化する電力料金体系に対して、使用電力料金を十分に低減できるように電力を制御する技術の提案がなされていないのが現状である．
本発明は、上記問題点に鑑みてなされたものであって、電力系統から供給される電力を充電した時間帯とは異なる時間帯に放電するように蓄電池を制御するのに、使用電力料金の低減を図ることができる電力システム、コントローラおよび電力システムの制御方法を提供することを目的とする。
【課題を解決するための手段】
【０００６】
本発明の電力システムは、発電した電力を負荷に供給可能であるとともに電力系統に逆潮流可能な太陽電池と、電力系統から供給された電力を充電可能であるとともに充電された電力を放電して負荷に供給可能な蓄電池と、該蓄電池の充放電を制御するコントローラを備えた電力システムであって、電力系統の電力料金が時間帯によって異なるとともに、該時間帯は、少なくとも所定の料金が定められた第１時間帯と、第１時間帯よりも高い料金が定められた第２時間帯と第２時間帯よりも高い料金が定められた第３時間帯を有し、第２時間帯は第１時間帯と第３時間帯に挟まれた時間帯であり、蓄電池は、第１時間帯で充電され、雨天予報日の場合は、第１時間帯に続く第２時間帯の中で予め定められた放電開始時刻で放電を開始するとともに、コントローラは、雨天予報日の蓄電池の放電後の残量を参照して、次回雨天予報日の蓄電池の放電開始時刻を調整するものである。
【０００７】
また、本発明の電力システムは、コントローラは、雨天予報日の天気結果を参照して次回雨天予報日の蓄電池の放電開始時刻を調整するものを含む。
【０００８】
また、本発明の電力システムは、コントローラは、前記雨天予報日の前記太陽電池の発電量を参照して次回雨天予報日の蓄電池の放電開始時刻を調整するものを含む。
【０００９】
本発明のコントローラは、発電した電力を負荷に供給可能であるとともに電力系統に逆潮流可能な太陽電池と、電力系統から供給された電力を充電可能であるとともに充電された電力を放電して負荷に供給可能な蓄電池有する電力システムの該蓄電池の充放電を制御するコントローラであって、電力系統の電力料金が時間帯によって異なるとともに、時間帯は、少なくとも所定の料金が定められた第１時間帯と、第１時間帯よりも高い料金が定められた第２時間帯と第２時間帯よりも高い料金が定められた第３時間帯を有し、第２時間帯は第１時間帯と第３時間帯に挟まれた時間帯であり、第１時間帯で充電された蓄電池を、雨天予報日の場合は、第１時間帯に続く第２時間帯の中で予め定められた放電開始時刻で放電を開始させるとともに、雨天予報日の蓄電池の放電後の残量を参照して、次回雨天予報日の蓄電池の放電開始時刻を調整するよう制御を行うものである。
【００１０】
本発明の電力システムの制御方法は、発電した電力を負荷に供給可能であるとともに電力系統に逆潮流可能な太陽電池と、電力系統から供給された電力を充電可能であるとともに充電された電力を放電して負荷に供給可能な蓄電池と、該蓄電池の充放電を制御するコントローラを備えた電力システムの制御方法であって、電力系統の電力料金が時間帯によって異なるとともに、時間帯は、少なくとも所定の料金が定められた第１時間帯と、第１時間帯よりも高い料金が定められた第２時間帯と第２時間帯よりも高い料金が定められた第３時間帯を有し、第２時間帯は第１時間帯と第３時間帯に挟まれた時間帯であり、蓄電池は、前記第１時間帯で充電され、雨天予報日の場合は、前記第１時間帯に続く第２時間帯の中で予め定められた放電開始時刻で放電を開始するとともに、コントローラは、雨天予報日の蓄電池の放電後の残量を参照して、次回雨天予報日の蓄電池の放電開始時刻を調整するものである。
【発明の効果】
【００１１】
本発明により、電気料金の安い時間帯に充電した電力を有効に使って、電気料金を低減することができる。
【図面の簡単な説明】
【００１２】
【図１】本発明の電力システムの概略構成を示す機能ブロック図である。
【図２】晴天時の電力消費、発電、蓄電池の状況を示すグラフである。
【図３】雨の日において晴れの日と同様の制御を行った場合を示すグラフである。
【図４】雨天の電力消費、発電、蓄電池の状況を示すグラフである。
【図５】雨天の電力消費、発電、蓄電池の状況を示すグラフである。
【図６】本発明の電力システムの動作を示すフローチャートである。
【図７】本発明の電力システムの動作を示すフローチャートである。
【図８】雨天時の電力消費、発電、蓄電池の状況を示すグラフである。
【図９】雨天予報日の電力システムの制御の一例を示すグラフである。
【発明を実施するための形態】
【００１３】
以下、図面を参照しつつ、本発明の実施の形態に係る説明する。以下の説明では同一の部品には同一の符号を付してある。それらの名称および機能も同じである。したがって、それらについて詳細な説明は繰り返さない。
【００１４】
（実施の形態１）
図１は、本発明の電力システムの概略構成を示す機能ブロック図である。電力システム１３は、太陽電池１と、太陽電池１で発電された電力を測定する発電電力測定部２と、太陽電池１からの直流電圧を変換するＤＣ／ＤＣコンバータ３と、蓄電池４と、直流電圧を変換して蓄電池４に供給すると共に蓄電池４からの直流電圧を変換するＤＣ／ＤＣコンバータ５を有する。
【００１５】
また、電力システム１３は、ＤＣ／ＤＣコンバータ３とＤＣ／ＤＣコンバータ５の両方またはいずれか一方からの直流電力を交流電力に変換するとともに、電力系統６からの交流電力を直流電力に変換する双方向のＤＣ／ＡＣインバータ７と、ＤＣ／ＡＣインバータ７で変換された交流電力を電力系統６に逆潮流して売電する電力を測定する売電力測定部８と、電力系統６から供給される電力を測定する買電力測定部９と、蓄電池４の充放電を制御する充放電制御部である充放電制御装置１０と、コントローラ１１とを備えている。
【００１６】
更に、図１に示す構成では、ＤＣ／ＡＣインバータ７と売電力測定部８との間に負荷１２が接続されており、この負荷１２には、電力系統６からの電力と太陽電池１からの電力と蓄電池４からの電力とのいずれもが供給可能となっている。
【００１７】
コントローラ１１は、通信インターフェースを備え、この通信インターフェースにより、発電電力測定部２からの発電電力に関する情報と、売電力測定部８からの売電力に関する情報と、買電力測定部９からの買電力に関する情報とが有線や無線で受信可能となっていると共に、外部からインターネット回線等を介して気象情報が受信可能となっている。気象情報には、例えば、天気予報、降水量、気温、湿度、風向、風速、日射量、日照時間、日の出日の入時刻、気象警報、気象注意報などが含まれるが、特にこれらに限定されない。さらに、コントローラ１１は、通信インターフェースにより有線や無線で充放電制御装置１０と通信可能となっており、また充放電制御装置１０を制御することにより、蓄電池４の放電開始時間の制御を含む蓄電池４の充放電の制御が可能となっている。
【００１８】
尚、図１において、コントローラ１１は、充放電制御装置１０と別体となっているが、コントローラ１１と充放電制御装置１０が一体化していても良い。
【００１９】
なお、図１において、コントローラ１１は、タブレット端末装置やスマートフォン等の携帯端末装置を表示装置として用いることができ、発電電力測定部２と売電力測定部８と買電力測定部９とのそれぞれからの情報に基づき、太陽電池１で発電した電力に関する情報と逆潮流した電力に関する情報と電力系統６から供給された電力に関する情報とのそれぞれをモニタリング可能となっている。
【００２０】
本実施形態における使用電力量に対する料金プランについて説明する。本実施形態では、平日において、２３時から翌朝の７時までが第１時間帯、７時から１０時まで及び１７時から２３時までが第２時間帯、１０時から１７時までが第３時間帯の３段階の料金プランに設定されており、例えば、使用電力量１ｋＷｈに対する料金がそれぞれ、第１時間帯では１０円７６銭、第２時間帯では２４円５９銭、第３時間帯では３２円５８銭と、第１時間帯が最も安く、第３時間帯が最も高くなっているとする。すなわち、料金の最も安い第１時間帯と料金の最も高い第３時間帯の間に挟まれて中間の料金の第２時間帯がある。
【００２１】
（晴天予報日の説明）
図２は、晴天時の電力消費、発電、蓄電池の状況を示すグラフである。まず、天気予報が晴れの日（晴天予報日）における本実施形態の動作について、図２を用いて説明する。なお、図２（ａ）において、横軸は、時刻を示し、縦軸は、任意の消費電力または太陽電池の発電電力を示す。実線は、太陽電池の発電電力を示し、灰色領域の境界が消費電力を示している。又、図２（ｂ）において、横軸は、時刻を示し、縦軸は、電気料金を示す。また、図２（ｃ）において、横軸は、時刻を示し、縦軸は、蓄電池残量を示す。
【００２２】
蓄電池４は、電気料金の安い第１時間帯（〜７時）に電力系統６から充電を行って上限の充電量になる。通常、充電は、日の出前に完了する。また、第１時間帯において、蓄電池４は、放電を行わない。消費電力は、基本的に電力系統６からの電力でまかなうが、日の出が早い時期などにおいて、太陽電池１が発電を始めた場合は、太陽電池１の発電と電力系統６の電力を使用する。さらに太陽電池１の発電量が消費電力量を上回った場合には、電力の剰余分を売電する。
【００２３】
コントローラ１１はインターネットなどから気象情報を受信する。７時前に取得した天気予報で日中の天気の予報が「晴れ」であるときは、コントローラ１１は、晴天予報日の制御を行う。
【００２４】
まず、コントローラ１１は、充放電制御装置１０に、第２時間帯に入った７時から蓄電池４の放電を開始するよう指示する。
【００２５】
次に、７時になると充放電制御装置１０は、ＤＣ／ＤＣコンバータ５を制御して、蓄電池４から放電させる。太陽電池１の発電が始まるまで、蓄電池４から放電することで買電量を減らしている。
【００２６】
次に太陽電池１の発電が始まると、消費電力は、基本的に太陽電池１の発電と蓄電池４の放電とによってまかなわれる。太陽電池１の発電と蓄電池４の放電で消費電力がまかなえない場合には、一時的に電力系統６から買電することもある。太陽電池１の発電が増えるにしたがって、蓄電池４の放電量は小さくなる。さらに太陽電池の発電だけで消費電力を上回るようになると蓄電池の放電は停止し、太陽電池１の発電から消費電力を差し引いた剰余分の電力を売電する。
【００２７】
晴れの日の第３時間帯（１０時〜１７時）は、太陽電池１の発電から消費電力を差し引いた剰余分の電力を売電する。日射量の減少で太陽電池１の発電が消費電力を下回った場合には蓄電池の放電で補う。
【００２８】
次に、第２時間帯（１７時〜２１時）において、太陽電池１の発電が消費電力を下回った場合には、蓄電池４からの放電で補う。時刻が進んで太陽電池の発電量が０になると、蓄電池４の放電のみで電力需要をまかなう。図２（ｃ）では、第２時間帯の終わりまで蓄電池の放電可能量があるが、消費電力が多くて蓄電池４の蓄電量が最低残量に達した場合には、放電を停止し、電力系統６によって消費電力をまかなう。このとき、蓄電池４は充電を行わない。
【００２９】
次に、第３時間帯（２１時〜）において、蓄電池４は、充電を開始し、充電量の上限まで充電する。第３時間帯の消費電力はすべて電力系統６からの電力でまかなう。
【００３０】
（雨天予報日の説明）
図３は、雨の日において晴れの日と同様の制御を行った場合を示すグラフである。なお、図３のグラフの構成は図２と同様である。雨の日に晴れの日と同様の電力制御を行った場合、日中の太陽電池１の発電量が小さいので、蓄電池４の放電量が多くなる。そのため、第３時間帯の途中で蓄電池４の蓄電量が最低残量に達してしまい、電力系統６から電力の供給を受けることになる。この場合、電力系統６から電力を第３時間帯の高い電力料金で購入することになり、不経済になる。
【００３１】
図４は、雨天の電力消費、発電、蓄電池の状況を示すグラフである。天気予報が「雨」（雨天予報日）であって、実際の天気が雨になった場合を例示する。なお、図４のグラフの構成は図２と同様である。雨天予報日は第２時間帯（７時〜１０時）における放電開始時刻を後ろにシフトさせて、第３時間帯に電力を購入しないことを目標に制御する。具体的には、７時前の天気予報が「雨」であるとき、コントローラ１１は、雨天予報日における制御を行う。
【００３２】
雨天予報日は、天気予報による日中の天気が雨の日であるが、それに拘ることなく、日照時間または日照量が、所定の閾値より少ないと予想される日を雨天予報日としても良い。
【００３３】
まず、コントローラ１１は、充電制御装置１０に第３時間帯の始まりである１０時から放電を開始するように指示する。電力システムは、第２時間帯のはじまる７時から、電力系統６から電力を購入する。消費電力は、太陽電池１の発電と電力の購入でまかなう。
【００３４】
次に、第３時間帯の１０時になると、充放電制御装置１０は、ＤＣ／ＤＣコンバータ５を制御して、蓄電池４の放電を開始する。第３時間帯の消費電力は、蓄電池４および太陽電池１の電力でまかなう。蓄電池４はそのまま放電を続け、第２時間帯の間に蓄電池４の蓄えた電力を使い切ってから電力系統６から電力の供給を受ける。
【００３５】
図５は、雨天の電力消費、発電、蓄電池の状況を示すグラフである。図４に比べて電力消費が少ない場合の例である。図５（ａ）において、横軸は、時刻を示し、縦軸は、任意の消費電力または太陽電池の発電電力を示す。実線は、太陽電池の発電電力を示し、灰色領域の境界が消費電力を示している。又、図５（ｂ）において、横軸は、時刻を示し、縦軸は、電気料金を示す。また、図５（ｃ）および図５（ｄ）において、横軸は、時刻を示し、縦軸は、蓄電池残量を示す。
【００３６】
図５（ｃ）においては、図４に示される例と同様に、雨天予報日の制御を行っている。１０時から蓄電池４の放電を開始しているが、消費電力が少ないために、蓄電池４に充電した電気を使い切れず、第１時間帯の開始時刻である２３時になっても蓄電池４に使用可能な電気が残っている。このような場合、蓄電池４に残った電気は、翌日に繰り越されることになる。しかしながら、電力料金が安い第１時間帯に充電した電力は、電力料金の高い第３時間帯および第２時間帯に使い切ってしまった方がトータルの電力料金は安くなる。そこで、図５（ｄ）に示されるように、蓄電池４の放電開始時間を早めて通常使用可能な電気をできるだけ第１時間帯の開始時刻までに使い切るシステムを示す。
【００３７】
図６および図７は、本発明の電力システムの動作を示すフローチャートである。まず、コントローラ１１は、第１時間帯直前の天気予報を取得し（Ｓ１０１）、得られた天気予報に基づいて今日の天気を判断する（Ｓ１０２）。「晴れ」と判断した場合には、前述のとおり、第１時間帯の開始時刻から蓄電池４からの放電を開始する晴天予報日の制御を行う（Ｓ１０５）。コントローラ１１が「雨」と判断した場合には、以下説明する雨天予報日の制御を行うことになる。
【００３８】
まず、雨天予報日の放電開始時刻まで待機する（Ｓ１０３）。放電開始時刻まで、消費電力は電力系統６からまかなう。放電開始時刻になるとら蓄電池４の放電を開始する（Ｓ１０４）。なお、放電開始時刻の初期値は、第３時間帯の開始時刻である１０時である。
【００３９】
放電を開始すると、蓄電池４が最低残量になるまで放電して消費電力をまかなう。太陽電池１が発電しているときは、太陽電池１と蓄電池４で消費電力をまかなうが、太陽電池１の発電で消費電力がまかなえる場合は、蓄電池４の放電は一時停止されており太陽電池１で発電した余剰電力は売電される。これらの制御は、ＤＣ/ＤＣコンバータ３、ＤＣ/ＤＣコンバータ５およびＤＣ／ＡＣインバータ７が連携して制御を行っている。
【００４０】
放電開始後、コントローラ１１は、充放電制御装置１０を介して蓄電池４の残量を監視する（Ｓ２０１）。蓄電池の容量が最低残量に達した場合には放電を終了し、（Ｓ２０２）、放電終了時刻を記録し（Ｓ２０３）、第１時間帯が始まるまで待機する（Ｓ２０４）。
【００４１】
蓄電池４が第１時間帯の開始時刻までに最低残量に達しない場合は、コントローラ１１は、第１時間帯の開始時刻（２３時）に蓄電池４の放電を終了させる（Ｓ２０５）（Ｓ２０６）。
【００４２】
次に、第１時間帯の２３時になると、コントローラ１１は、蓄電池４に最低残量より多い電気が残っているかどうか判断する（Ｓ３０１）。蓄電池４に電気が残っている場合には、コントローラ１１は、日中の天気情報を参照して、雨天予報日の天気がどうであったかを確認する。すなわち天気結果を確認する。天気結果が雨であった場合には、充放電制御装置１０は、雨天時の蓄電池４の放電開始時刻が遅すぎたと判断し、雨天時の放電開始時刻を前にずらすように放電開始時刻を変更する（Ｓ３０３）。たとえば、放電開始時刻が１０時であれば９時に１時間前倒しするように放電開始時刻を変更する。放電開始時刻を変更後、コントローラ１１は、蓄電池４への充電を開始させる（Ｓ３０６）。充電開始後は、コントローラ１１は充電状況を監視しつつ翌朝まで待機する。なお、天気結果の確認は、２３時を待たず、日没後に行ってもよいことは言うまでもない。
【００４３】
そして、コントローラ１１が翌日以降に天気予報を取得して、雨と判断し、雨天予報日の制御をするときには、変更された放電開始時刻から放電を開始する。そして、コントローラ１１は、第１時間帯の２３時に蓄電池４の残量の確認をして、上述と同様の放電開始時間の調整を行う。その結果、雨天日の２３時の蓄電池残量が最低残量なるまで調整されることになり、蓄電池の放電の完了が夜の第２時間帯である１７時〜２３時の間に終了するようになる。
【００４４】
一方、蓄電池４に電気が残っている場合であって、天気結果が晴れであった場合には、コントローラ１１は、放電開始時刻を変更せず、蓄電池４への充電を開始する（Ｓ３０６）。蓄電池４の残量が最低残量以上になっているのは、天気予報が外れて日中の日照量が多かったためであり、放電開始時刻が原因ではないから放電開始事項を変更する必要はない。
【００４５】
また、蓄電池４に最低残量より多い電気が残っているかどうか判断して（Ｓ３０１）、蓄電池４に残っている電気が最低残量以下である場合には、コントローラ１１は、放電終了時刻を参照し（Ｓ３０４）、放電終了時刻が第２時間帯（１７時〜２３時）であったかどうかを判断する。放電時刻が第２時間帯である場合には、コントローラ１１は、充電開始時刻のパラメータを変更せずに充電を開始する（Ｓ３０６）。充電開始後は、コントローラ１１は充電状況を監視しつつ翌朝まで待機する。
【００４６】
（実施の形態２）
図８は、雨天時の電力消費、発電、蓄電池の状況を示すグラフである。雨予報の日に放電開始時刻が７時に設定されていて、１７時までに放電が終わった例を示す。昼間の消費電力量が小さい場合には、コントローラ１１は、蓄電池４の放電開始時刻が繰り上げるよう制御するが、夏季や厳寒期など電力消費が高まってくると、雨天時の放電開始時刻を繰り上げた場合、図８（ｃ）に示されるように、第３時間帯中に蓄電池の放電が終了してしまい、電力料金の高い第３時間帯で電力を購入する必要があり不経済である。そこでそのような場合には図８（ｄ）に示されるように放電開始時刻を繰り下げることにより解決することができる。
【００４７】
具体的には、放電終了時刻を参照して（Ｓ３０４）、蓄電池４の放電終了時刻が第２時間帯（１７時〜２３時）でなく、第３時間帯（１０時〜１７時）に終了している場合には、雨天予報日の放電開始時間を遅らせる（Ｓ３０５）。放電開始時刻を変更後、コントローラ１１は、充放電制御装置１０を介して蓄電池４の充電を開始させる（Ｓ３０６）。充電開始後は、コントローラ１１は、充電状況を監視しつつ翌朝まで待機する。
【００４８】
（実施の形態３）
実施の形態１においては、雨天予報日の放電時間を調整するかどうかを決める情報として当日の天気結果を用いていたが、天気結果に代えて、当日の太陽電池１の発電量を用いても良い。図９は、雨天予報日の電力システムの制御の一例を示すグラフである。図９（ａ）に示されるように、雨の天気予報に基づいて、点線に示されるような発電量を予想してコントローラ１１が雨天予報日の制御をしたのにも関わらず、日照量が多くて実線で示されるように発電量が多くなり、図９（ｃ）の実線にしめされるように第２時間帯終了時（２３時）までに蓄電池４が最低残量にならない場合を示す。
【００４９】
このとき、図７のフローチャートの（Ｓ３０２）のように、当日の天気情報を用いて放電時間を早めるかどうかを決めていたが、（Ｓ３０２）に代えて、当日の太陽電池１の発電量が所定の値よりも多いかどうかを基準にきめることができる。当日の太陽電池１の発電量が所定の値よりも大きければ、当日は晴天あったとみなして、雨天予報日の放電時刻の繰り下げないようにする。逆に当日の太陽電池１の発電量がある閾値よりも小さければ、当日は雨天であったとみなして雨天予報日の放電開始時刻を早めるように制御する。地域によっては、天気情報と局所的な天気が一致しない場合があるが、太陽電池１の発電量に基づいて雨天予報時の放電開始時刻の調整をすることにより、適切な放電開始時刻の調整が可能になる。なお、発電量の閾値は、太陽電池の設置場所の日照条件や発電システムの条件などによって決めることができる。
【００５０】
上述のように、雨天予報日の蓄電池の放電開始時刻を調整することにより、電気料金の安い時間帯に充電した電力を使い切ることができ、電気料金を低減することができる。
【００５１】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５２】
１…太陽電池
２…発電電力測定部
３…ＤＣ／ＤＣコンバータ
４…蓄電池
５…ＤＣ／ＤＣコンバータ
６…電力系統
７…ＤＣ／ＡＣインバータ
８…売電力測定部
９…買電力測定部
１０…充放電制御装置
１１…コントローラ
１２…負荷
１３…電力システム
【図１】
0006568413.tif 000002
【図２】
0006568413.tif 000003
【図３】
0006568413.tif 000004
【図４】
0006568413.tif 000005
【図５】
0006568413.tif 000006
【図６】
0006568413.tif 000007
【図７】
0006568413.tif 000008
【図８】
0006568413.tif 000009
【図９】
0006568413.tif 000010